(57)【要約】【課題】回線電圧の復旧遅延するＴＡのアナログポートに接続しても、リンギング通信可能にすることを目的とする。【解決手段】ＮＣＵ選択信号検出部１９から自端末の選択信号を検出すると、回線制御部３３は網制御部１３を即座に閉結させ、電話機８を公衆回線３０から切り離すように電話機接続部９を制御する。【選択図】  図１
2004228632.tif 000002
【特許請求の範囲】
【請求項１】
電話機を回線に接続したり切り離したりする電話機接続部と、回線に対してインピーダンス制御を行う網制御部と、回線から呼び出しがあった時に送出されてくるリンギング呼出信号の電話機鳴動信号を検出するリンギング検出部と、前記電話機のオフフックやオンフックを検出する電話機状態検出部と、前記リンギング検出部が電話機鳴動信号を検出中に前記電話機状態検出部が電話機のオフフックを検出すると前記網制御部をハイインピーダンスにした状態で回線を介して送出されてくる予め決められた形式のアナログ信号を検出するＮＣＵ選択信号検出部と、前記ＮＣＵ選択信号検出部で自端末の選択信号を検出すると網制御部を即座に閉結させ、電話機を回線から切り離すように電話機接続部を制御する回線制御部とを具備した回線端末装置。
【請求項２】
回線制御部により電話機が回線から切り離されると回線へ着信応答信号を返し通信可能状態となるＮＣＵ応答信号出力部を有する請求項１記載の回線端末装置。
【発明の詳細な説明】
【０００１】
【発明の属する技術分野】
本発明は、通信回線を利用したリンギング通信により、ホームセキュリティ盤やガス遮断装置等のデータ端末装置の情報を収集する回線端末装置に関するものである。
【０００２】
【従来の技術】
図２に示すように、従来この種の回線端末装置１は、データ端末装置２の情報を公衆回線３と交換局４を介して中央監視装置５で収集する装置である。
【０００３】
ここでデータ端末装置２はマイクロコンピュータ内蔵の通信機能付き装置で、例えば、ガス需要家宅に取り付けられたガスメータに内蔵され、ガスの使用状態を通信で読み出せるようになっている。
【０００４】
６は端末インターフェース部で、データ端末装置２との間で電文の送受信を行う。
【０００５】
７は中央制御部で、回線端末装置１の受信した電文の解析や全体の制御を行う。
【０００６】
またガス需要家宅の電話機８は、通常、電話機接続部９により公衆回線３に接続されいる。
【０００７】
また電話機接続部９は中央制御部７からの制御により電話機８を公衆回線３に接続したり切り離したりできるようになっている。
【０００８】
また電話機状態検出部１０では公衆回線３の回線電圧を監視して、数Ｖなら電話機８がオフフックしている状態、４８Ｖ付近ならオンフックされている状態として判定するようになっている。
【０００９】
次に回線端末装置１のリンギング通信について説明する。
【００１０】
リンギング通信をする場合、回線端末装置１のリンギング着信判定部１１に対してはあらかじめリンギング着信応答する条件として、交換局４から送出されるリンギング呼出信号の１６ＨＺ電話機鳴動信号の検出回数を設定をしておく。
【００１１】
リンギング通信は中央監視装置７からの発信よって開始され、発信を受けた交換局４では回線端末装置１が接続されている回線に対して極性反転に続いて３秒周期で１秒間１６ＨＺの電話機鳴動信号を重畳させたリンギング呼出信号を送出する。この１６ＨＺの電話機鳴動信号により電話機８が鳴動する。
【００１２】
また交換局４からは３秒周期で１６ＨＺの電話機鳴動信号が発生する間は、回線端末装置１のリンギング検出部１２は交換局４から公衆回線３上に送出される１６ＨＺの電話機鳴動信号の有無状態を出力する。
【００１３】
リンギング検出部１２で１６ＨＺの電話機鳴動信号を検出するとリンギング着信判定部１１は１６ＨＺ電話機鳴動信号をカウントアップして、設定された着信応答条件に達したかどうかを判定する。
【００１４】
交換局４からのリンギング呼出信号が継続すると、リンギング着信判定部１１で設定条件に達する。
【００１５】
すると中央制御部７は網制御部１３を閉結状態（オフフック）にして公衆回線３及び交換局４と直流ループを形成して回線を捕捉する。
【００１６】
回線が捕捉されると交換局４ではリンギング呼出信号の送出を止め、中央監視装置５に対して回線が接続されたことを知らせる。
【００１７】
また中央制御部７は、回線端末装置１が回線を捕捉したことを発信者（この場合は中央監視装置５）へ知らせるため、リンギング着信応答部１４から公衆回線３及び交換局４経由で中央監視装置５へ着信応答信号を送信する。
【００１８】
着信の確認ができた中央監視装置５は、公衆回線３及び交換局４経由で回線端末装置１あるいはデータ端末装置２に対してモデム信号形式の電文を送信する。
【００１９】
このモデム信号形式の電文は回線端末装置１の送受信部１５で復調され中央制御部７に受信される。
【００２０】
中央制御部７は受信した電文が回線端末装置１自身への電文の場合、応答電文を作成し、送受信部１５で変調してモデム信号形式で中央監視装置５へ応答する。
【００２１】
また受信した電文がデータ端末装置２への電文の場合、中央制御部７はデータ端末装置２に適した形式に電文を変換して端末インターフェース部６を介して送信を行う。
【００２２】
そしてデータ端末装置２からの応答電文を端末インターフェース部６を介して中央制御部７が受信すると、中央監視装置５に適したモデム信号形式の電文に変換して送受信部１５で変調して中央監視装置５へ送信する。
【００２３】
以降、中央監視装置５と回線端末装置１及びデータ端末装置２の間で電文の送受信を繰り返す。
【００２４】
通信を終了する場合は、中央監視装置５は通信終了電文を回線端末装置１へ送信する。
【００２５】
この通信終了電文を受信した中央制御部７では通信終了応答電文を中央監視装置５へ送信した後、網制御部１３により直流ループを開放（オンフック）し回線を切断して通信を終了する。
【００２６】
ところが、図２のような構成では、在宅者がいる時に中央監視装置５からリンギング通信を行った場合、リンギング着信応答条件として設定された１６ＨＺの電話機鳴動信号の回数に到達する前に、在宅者が電話機８をオフフックすると交換局４は１６ＨＺの電話機鳴動信号の送出を停止するので、リンギング着信判定部１１では着信応答条件が成立せず、リンギング着信ができないという課題を有していたため、図３のような構成の回線端末装置が考案された。
【００２７】
なお、図２と同一番号のものは同じ名称と同じ機能を有する構成要素であり、その説明を省略する。
【００２８】
１６は公衆回線で、ＩＳＤＮ回線になっており、１７はＤＳＵ内蔵のＴＡである。そして回線端末装置１８はＴＡ１７のアナログポート経由で公衆回線１６に接続されている。
【００２９】
１９はＮＣＵ選択信号検出部で、中央監視装置５から送信されるあらかじめ決められた形式のアナログ信号を検出する。
【００３０】
２０はＮＣＵ応答信号出力部で、ＮＣＵ選択信号検出部１９で検出した信号が自端末の選択信号と中央制御部２１が判定した場合は着信応答信号を返す。
【００３１】
またこのＮＣＵ応答信号出力部２０は複数種類の応答信号を持ち、接続されている電話機８が公衆回線１６をオフフックしてない場合に応答する信号（ＮＣＵ応答信号Ａ）と接続されている電話機８が公衆回線１６をオフフックしている場合に応答する信号（ＮＣＵ応答信号Ｂ）とを区別して送出する。
【００３２】
２２はＮＣＵ第２選択信号検出部で、ＮＣＵ選択信号検出部１９で自端末の選択信号を検出した後、所定時間内（中央監視装置５で在宅者に対する対応処理を行える時間で数分位）に同じこの選択信号が送信されてくるのを再度待つ。
【００３３】
２３は回線維持判定部で、ＮＣＵ選択信号検出部１９で自端末の選択信号を検出した後、所定時間内（ＮＣＵ第２選択信号検出部２２の所定時間と同じ時間）に電話機８がオンフックされるのを電話機状態検出部１０からの出力で監視する。
【００３４】
所定時間を経過しても、ＮＣＵ第２選択信号検出部２２で再度、予め決められた形式のアナログ信号が検出されなかったり、回線維持判定部２３で電話機８のオンフックを検出できなければ、リンギング着信の判定を終了して待機状態に戻る。
【００３５】
中央制御部２１ｈａ回線端末装置１８全体の制御を行う。
【００３６】
続いて回線端末装置１８について、動作を説明する。
【００３７】
リンギング着信判定部１１はあらかじめリンギング着信応答条件として１６ＨＺ電話機鳴動信号の検出回数が着信応答回数として設定されている。
【００３８】
リンギング通信は中央監視装置５からの発信よって開始され、発信を受けた交換局４では回線端末装置１８を呼び出すと、ＴＡ１７のアナログポートからは極性反転に続いて３秒周期で１秒間１６ＨＺの電話機鳴動信号を重畳させたリンギング呼出信号が送出される。この１６ＨＺ電話機鳴動信号により電話機８が鳴動する。
【００３９】
次に交換局４からは３秒周期で１６ＨＺの電話機鳴動信号が発生する間は、回線端末装置１８のリンギング検出部１２は１６ＨＺの電話機鳴動信号の有無状態を出力する。
【００４０】
リンギング検出部１２で１６ＨＺの電話機鳴動信号を検出するとリンギング着信判定部１１は１６ＨＺの電話機鳴動信号をカウントをアップして、設定された着信応答条件に達したかどうかを判定する。
【００４１】
交換局４からの呼び出しが続くとＴＡ１７からは電話機鳴動信号送出が継続する。ここでリンギング着信判定部１１で設定条件に達する前に在宅者により電話機８がオフフックされると、電話機８はＴＡ１７と直流ループを形成して回線が捕捉される。
【００４２】
回線が捕捉されると交換局４は中央監視装置５に対して回線が捕捉されたことを知らせるとともに、呼び出しを止めるのでＴＡ１７も電話機鳴動信号の送出を止める。
【００４３】
中央監視装置５では通信したい回線端末装置１８に対して公衆回線１６を介してあらかじめ決められた形式のアナログ信号を送信する。
【００４４】
一方、中央制御部２１は、リンギング着信判定部１１で判定中に、電話機状態検出部１０により電話機６のオフフックを検出するので、網制御部１３をハイインピーダンスにして、ＮＣＵ選択信号検出部１９でこの予め決められた形式のアナログ信号が検出されるのを監視する。
【００４５】
このアナログ信号がＮＣＵ選択信号検出部１９で検出されると、中央制御部２１はＮＣＵ応答信号出力部２０からＮＣＵ応答信号Ｂを送信させる。
【００４６】
ＮＣＵ応答信号Ｂを受信した中央監視装置５では、回線端末装置１８がリンギング着信応答条件成立でオフフックしたのではなく、接続されている電話機８がオフフックしたことを認識できる。
【００４７】
また、このあらかじめ決められた形式のアナログ信号がＮＣＵ選択信号検出部１９で検出されると、回線維持判定部２３は中央監視装置５からの発信で回線端末装置１８に対する通信であることを判断できるので、これから所定時間は電話機状態検出部１０で電話機８がオンフックされないかを監視する。
【００４８】
この時に、電話機８をオフフックした在宅者は中央監視装置５から送信されたアナログ信号を聞くことになり、通常の電話ではないと判断した後は、すぐに電話機８をオンフックすることがある。
【００４９】
この場合、電話機状態検出部１０で電話機８がオンフックされたことをＴＡ１７のアナログポート回線電圧が数Ｖから４８Ｖへ復旧したことにより検出できるので、回線維持継続部２３は、回線が切断されないように網制御部１３で０．１秒以内ですぐさまオフフックする。
【００５０】
その後、電話機接続部９により電話機８を公衆回線１６から切り離し、ＮＣＵ応答信号出力部２０からＮＣＵ応答信号Ａを送信して通信可能状態になる。
【００５１】
【発明が解決しようとする課題】
しかしながら、上記のような構成では、以下の課題がある。
【００５２】
一般のアナログ公衆回線に回線端末装置が接続された場合は、ＮＴＴの交換機と公衆回線を介して接続されているので、電話機８のオフフックで直流ループが形成されている状態では、電話機８をオフフックからオンフックすると、回線電圧がすぐに数Ｖから４８Ｖに復旧する。
【００５３】
従って、電話機状態検出部１０で回線の電圧を監視していれば、電話機８のオンフック検出ができるので、回線端末装置は直流ループが開放されないように０．１秒以内すぐに閉結することで、回線を捕捉したままにすることが可能である。
【００５４】
一方、回線端末装置側の公衆回線がＩＳＤＮ回線の場合は、回線端末装置はアナログ信号が送受信可能なＴＡのアナログポートに接続されることになる。
【００５５】
ＴＡによっては、電話機８のオフフックで直流ループが形成されている状態で、電話機８をオフフックからオンフックすると、公衆回線側との回線切断処理後にアナログポートの回線電圧を数Ｖから４８Ｖへ復旧する機種がある。
【００５６】
従って、このＴＡに接続されている場合、回線端末装置は公衆回線が切断された後に、オンフック検出をして直流ループを閉結することになる。
【００５７】
そのため回線端末装置が閉結した時には、すでに回線が切断処理されており、回線を捕捉したままにすることができない。
【００５８】
このようにＩＳＤＮ回線経由で中央監視装置と通信を行う場合、アナログポートの回線電圧復旧が遅延するＴＡに接続されると、回線端末装置は中央監視装置と通信ができなくなるという課題を有していた。
【００５９】
【課題を解決するための手段】
本発明は上記課題を解決するために、電話機を回線に接続したり切り離したりする電話機接続部と、回線に対してインピーダンス制御を行う網制御部と、公衆回線から呼び出しがあった時に送出されてくるリンギング呼出信号の電話機鳴動信号を検出するリンギング検出部と、電話機のオフフックやオンフックを検出する電話機状態検出部と、リンギング検出部が電話機鳴動信号を検出中に電話機状態検出部が電話機のオフフックを検出すると網制御部をハイインピーダンスにした状態で回線を介して送出されてくるあらかじめ決められた形式のアナログ信号を検出するＮＣＵ選択信号検出部と、ＮＣＵ選択信号検出部で自端末の選択信号を検出すると網制御部を即座に閉結させ、電話機を回線から切り離すように電話機接続部を制御する回線制御部とを有するものである。
【００６０】
上記発明によれば、リンギング通信開始時に回線側から呼出が行われると、リンギング検出部で電話機鳴動信号が検出される。この後、リンギング着信判定部で着信応答条件の判定が成立する前に、回線端末装置に接続されている電話機がオフフックされると、電話機状態検出部で電話機のオフフックが検出される。網制御部はハイインピーダンスの状態で、あらかじめ決められた形式のアナログ信号をＮＣＵ選択信号検出部で検出する。
【００６１】
検出した信号が自端末の選択信号と判定すると、回線制御部は即座に網制御部の直流ループを閉じて、電話機を回線から切り離すように電話機接続部を制御する。
【００６２】
従って、オフフックされた電話機がオンフックされたことを検出する必要がなく、回線電圧の復旧に遅延があっても、回線を捕捉したままにでき、中央監視装置との通信を行うことができる。
【００６３】
【発明の実施形態】
本発明の回線端末装置は、電話機を回線に接続したり切り離したりする電話機接続部と、公衆回線に対してインピーダンス制御を行う網制御部と、回線から呼び出しがあった時に送出されてくるリンギング呼出信号の電話機鳴動信号を検出するリンギング検出部と、電話機のオフフックやオンフックを検出する電話機状態検出部と、リンギング検出部が電話機鳴動信号を検出中に電話機状態検出部が電話機のオフフックを検出すると網制御部をハイインピーダンスにした状態で回線を介して送出されてくるあらかじめ決められた形式のアナログ信号を検出するＮＣＵ選択信号検出部と、ＮＣＵ選択信号検出部で自端末の選択信号を検出すると網制御部を即座に閉結させ、電話機を回線から切り離すように電話機接続部を制御する回線制御部とを有するものである。
【００６４】
そして、リンギング通信開始時に回線側から呼出が行われると、リンギング検出部で電話機鳴動信号が検出される。この後、リンギング着信判定部で着信応答条件の判定が成立する前に、回線端末装置に接続されている電話機がオフフックされると、電話機状態検出部で電話機のオフフックが検出される。
【００６５】
網制御部はハイインピーダンスの状態で、あらかじめ決められた形式のアナログ信号をＮＣＵ選択信号検出部で検出する。検出した信号が自端末の選択信号と判定すると、回線制御部は即座に網制御部の直流ループを閉じて、電話機を回線から切り離すように電話機接続部を制御する。
【００６６】
従って、オフフックされた電話機がオンフックされたことを検出する必要がなく、回線電圧の復旧に遅延があっても、回線を捕捉したままにでき、中央監視装置との通信を行うことができる。
【００６７】
また回線制御部により電話機が回線から切り離されると回線へ着信応答信号を返し通信可能状態となるＮＣＵ応答信号出力部を有するものである。
【００６８】
そして回線制御部が網制御部の直流ループを閉じて、電話機を回線から切り離すように電話機接続部を制御した後に、ＮＣＵ応答信号出力部から着信応答信号を回線経由で中央監視装置に返すことで、中央監視装置では回線端末装置との通信が可能になったことを判別できる。
【００６９】
【実施例】
以下、本発明の実施例について図１を用いて説明する。
【００７０】
（実施例１）
なお、図１において、図２、図３と同一番号のものは同じ名称と同じ機能を有する構成要素であり、その説明を省略する。
【００７１】
３０は公衆回線で、ＩＳＤＮ回線になっており、３１はＤＳＵ内蔵のＴＡである。
【００７２】
このＴＡ３１はアナログポートの回線電圧が復旧するタイミングが回線切断処理後になる機種である。
【００７３】
そして回線端末装置３２はＴＡ３１のアナログポート経由で公衆回線３０に接続されている。
【００７４】
３３は回線制御部で、ＮＣＵ選択信号検出部１９で自端末の選択信号を検出すると網制御部１３を即座に閉結させ、電話機８を公衆回線３０から切り離すように電話機接続部９を制御する。
【００７５】
そして電話機８が公衆回線３０から切り離されると、回線制御部３３によりＮＣＵ応答信号出力部２０から公衆回線３０へ着信応答信号を返す。
【００７６】
中央制御部２１は回線端末装置３２全体の制御を行う。
【００７７】
ここでリンギング着信判定部１１予めリンギング着信応答条件として１６ＨＺ電話機鳴動信号の検出回数が着信応答回数として設定されているとする。
【００７８】
そしてリンギング通信は中央監視装置５からの発信よって開始され、発信を受けた交換局４では回線端末装置３２が接続されている公衆回線３０に対して呼出を行う。
【００７９】
公衆回線３０はＩＳＤＮ回線になっており、この回線にＴＡ３１が接続されているので、回線端末装置３２の呼出はＴＡ３１のアナログポートから行われる。
【００８０】
呼び出し時にＴＡ３１のアナログポートは、極性反転に続いて３秒周期で１秒間１６ＨＺの電話機鳴動信号を重畳させたリンギング呼出信号を送出する。この１６ＨＺ電話機鳴動信号により電話機８が鳴動する。
【００８１】
この１６ＨＺの電話機鳴動信号が発生すると、回線端末装置３２のリンギング検出部１２の出力は１６ＨＺ電話機鳴動信号の有無状態を出力する。
【００８２】
リンギング検出部１２で１６ＨＺの電話機鳴動信号を検出するとリンギング着信判定部１１は着信発生回数をカウントをアップして、設定された着信応答条件に達したかどうかを判定する。
【００８３】
交換局４からの呼出が続くと、ＴＡ３１のアナログポートから３秒周期で電話機鳴動信号が送出され続ける。
【００８４】
リンギング着信判定部１１で設定条件に達する前に在宅者により電話機８がオフフックされると、ＴＡ３１と直流ループを形成して回線が捕捉される。
【００８５】
回線が捕捉されるとＴＡ３１は電話機鳴動信号の送出を止める。また公衆回線３０と交換機４を介して中央監視装置５には回線が捕捉されたことが知らされる。
【００８６】
中央監視装置５では、回線端末装置３２に対して公衆回線３０を介して予め決められた形式のアナログ信号を送信する。
【００８７】
このアナログ信号はＩＳＤＮ回線を経由してデジタル信号に変調された後、ＴＡ３１で復調されアナログポートから出力される。
【００８８】
一方、中央制御部２１は、リンギング着信判定部１１で判定中に、電話機状態検出部１０により電話機８のオフフックを検出することになるので、網制御部１３をハイインピーダンスにしておき、ＮＣＵ選択信号検出部１９でこのアナログ信号が検出されるのを監視する。
【００８９】
このアナログ信号がＮＣＵ選択信号検出部１９で検出されると、すぐに回線制御部３３は網制御部１３を閉結状態にした後、電話機接続部９により電話機８を公衆回線３０から切り離し、ＮＣＵ応答信号出力部２０からＮＣＵ応答信号Ａを送信する。
【００９０】
従って、在宅者が中央監視装置５から送信されてくるアナログ信号を聞いて電話機８をオンフックしても、網制御部１３が閉結状態になっているため直流ループを保持したままにでき、回線も接続されたままになる。
【００９１】
そしてこのＮＣＵ応答信号ＡはＴＡ３１、公衆回線３０、交換局４を介して中央監視装置５で受信される。
【００９２】
中央監視装置５では回線端末装置３２が通信可能状態になったことを判断できるので、交換局４、公衆回線３０、ＴＡ３１経由で回線端末装置３２に対してモデム信号形式の電文を送信して通信を開始する。
【００９３】
このモデム信号形式の電文は回線端末装置３２の送受信部１５で受信され、中央制御部２１で解析され、受信した電文に応じて通信が行われる。
【００９４】
従って、この回線端末装置３２では在宅者によってオフフックされた電話機８がオンフックされたことをＴＡ３１のアナログポートの回線電圧で監視する必要がない。
【００９５】
従って、オフフックからオンフックになっても、すぐに回線電圧を復旧しないＴＡ３１に接続されても通信を行うことができる。
【００９６】
また図３の従来例の構成に必要だったＮＣＵ第２選択信号検出部も不要になるので、構成としても簡単で実現もしやすくなる。
【００９７】
また、予め決められた形式のアナログ信号を数種類準備して回線端末装置別に割り当てれば、電話機８の位置に本発明により実施された別の回線端末装置を接続していくことで、同じ一本の回線に対して回線端末装置を複数台接続することができる。
【００９８】
従って、１本の回線で多数のデータ端末装置との通信が可能である。
【００９９】
なお、ここでは需要家の公衆回線３０がＩＳＤＮ回線として実施例を説明したが、需要家の公衆回線３０が一般のアナログ公衆回線としても実施例の本発明の回線端末装置を接続することが可能である。
【０１００】
また電話機状態検出部１０のオンフック・オフフックの判定レベルを変更することで、２４Ｖ系ＰＢＸの内線等にも接続可能になり、電話機がオフフックからオンフックになっても回線電圧がすぐに復旧しないＰＢＸに対しても同様の効果をあげることができる。
【０１０１】
また電話機８を在宅者がオフフックするのではなく、留守番電話対応やＦＡＸ付きの機種では、電話機自身の自動応答によるオフフックがされても、本実施例の装置を接続していると、留守番電話機やＦＡＸが一定時間経過後にオンフック状態になるまで待たなくて良く、中央監視装置５との間で、即通信が可能となり効率的な通信ができる。
【０１０２】
【発明の効果】
以上のように本発明の回線端末装置によれば、リンギング着信時、リンギング着信判定部で着信応答条件の判定が成立する前に、回線端末装置に接続されている電話機がオフフックされた後、予め決められた形式のアナログ信号をＮＣＵ選択信号検出部で検出すると、回線制御部は即座に網制御部の直流ループを閉じて、電話機を公衆回線から切り離すように電話機接続部を制御するので、電話機オンフックによる回線電圧の復旧遅延があっても、回線を捕捉したままにでき、中央監視装置との間で通信を行うことができる。
【図面の簡単な説明】
【図１】本発明の実施例における回線端末装置のブロック構成図
【図２】従来の回線端末装置のブロック構成図
【図３】別の従来の回線端末装置ブロック構成図
【符号の説明】
２  データ端末装置
４  交換局
５  中央監視装置
６  端末インターフェース部
８  電話機
９  電話機接続部
１０  電話機状態検出部
１１  リンギング着信判定部
１２  リンギング検出部
１３  網制御部
１４  リンギング着信応答部
１５  送受信部
１９  ＮＣＵ選択信号検出部
２０  ＮＣＵ応答信号出力部
２１  中央制御部
３０  公衆回線
３１  ＴＡ
３２  回線端末装置
３３  回線制御部
【図１】
2004228632.tif 000003
【図２】
2004228632.tif 000004
【図３】
2004228632.tif 000005